【手続補正書】
【提出日】平成17年12月15日(2005.12.15)
【手続補正１】
【補正対象書類名】明細書
【補正対象項目名】特許請求の範囲
【補正方法】変更
【補正の内容】
【特許請求の範囲】
【請求項１】  熱エネルギーを利用して複数のノズルそれぞれからインクを吐出する記録ヘッドを有するインクジェット記録装置であって、
前記複数のノズル内にそれぞれ設けられており、通電されたときに前記熱エネルギーを発生する熱エネルギー変換体と、
記録データに応じて前記熱エネルギー変換体を予め定めた電圧で駆動して記録動作を行わせる記録制御手段と、
予め定めたタイミングで、前記熱エネルギー変換体を前記予め定めた電圧よりも高い電圧で駆動して予備吐出動作を行わせる予備吐出制御手段とを備え、
前記予備吐出制御手段が同時に駆動する前記熱エネルギー変換体の数は、前記記録制御手段が同時に駆動する前記熱エネルギー変換体の数よりも少ないことを特徴とするインクジェット記録装置。
【請求項２】  前記予備吐出制御手段が同時に駆動する前記熱エネルギー変換体の数は、前記記録制御手段が同時に駆動する前記熱エネルギー変換体の数の半分以下であることを特徴とする請求項１に記載のインクジェット記録装置。
【請求項３】  前記予備吐出制御手段が同時に駆動する前記熱エネルギー変換体の数が１であることを特徴とする請求項１または２に記載のインクジェット記録装置。
【請求項４】  前記予備吐出制御手段は、前記熱エネルギー変換体に印加する電圧を切り替える電圧切り替え手段を含むことを特徴とする請求項１から３のいずれか１項に記載のインクジェット記録装置。
【請求項５】  前記記録制御手段および前記予備吐出制御手段は、パルス状の駆動信号によって前記熱エネルギー変換体をそれぞれ駆動することを特徴とする請求項１から４のいずれか１項に記載のインクジェット記録装置。
【請求項６】  前記予備吐出制御手段は、１つのパルス状部分に対して前記熱エネルギー変換体から発生される熱エネルギーが、前記記録制御手段と等しくなるような駆動信号を発生することを特徴とする請求項５に記載のインクジェット記録装置。
【請求項７】  前記予備吐出制御手段は、前記ノズルから予め定めた数のインク滴が吐出されたときに前記予備吐出動作を行わせるタイミング制御手段を含むことを特徴とする請求項１から６のいずれか１項に記載のインクジェット記録装置。
【請求項８】  前記予備吐出制御手段は、予め定めた枚数の記録媒体への記録を行ったときに前記予備吐出動作を行わせるタイミング制御手段を含むことを特徴とする請求項１から６のいずれか１項に記載のインクジェット記録装置。
【請求項９】  前記予め定めた枚数は１枚であることを特徴とする請求項８に記載のインクジェット記録装置。
【請求項１０】  前記記録ヘッドは、前記熱エネルギーによって発生された気泡を大気と連通させる大気連通口を備えることを特徴とする請求項１から９のいずれか１項に記載のインクジェット記録装置。
【請求項１１】  通電されたときに前記熱エネルギーを発生する熱エネルギー変換体がノズル内に設けられており、複数の前記ノズルそれぞれからインクを吐出する記録ヘッドを有するインクジェット記録装置の予備吐出制御方法であって、
記録データに応じて前記熱エネルギー変換体を予め定めた電圧で駆動して記録動作を行わせる記録制御工程と、
予め定めたタイミングで、前記熱エネルギー変換体を前記予め定めた電圧よりも高い電圧で駆動して予備吐出動作を行わせる予備吐出制御工程とを備え、
前記予備吐出制御工程において同時に駆動する前記熱エネルギー変換体の数が、前記記録制御工程において同時に駆動する前記熱エネルギー変換体の数よりも少ないことを特徴とするインクジェット記録装置の予備吐出制御方法。
【請求項１２】  前記予備吐出制御工程において同時に駆動する前記熱エネルギー変換体の数は、前記記録制御工程において同時に駆動する前記熱エネルギー変換体の数の半分以下であることを特徴とする請求項１１に記載のインクジェット記録装置の予備吐出制御方法。
【請求項１３】  前記予備吐出制御工程において同時に駆動する前記熱エネルギー変換体の数が１であることを特徴とする請求項１１または１２に記載のインクジェット記録装置の予備吐出制御方法。
【請求項１４】  前記予備吐出制御工程は、前記熱エネルギー変換体に印加する電圧を切り替える電圧切り替え工程を含むことを特徴とする請求項１１から１３のいずれか１項に記載のインクジェット記録装置の予備吐出制御方法。
【請求項１５】  前記記録制御工程および前記予備吐出制御工程は、パルス状の駆動信号によって前記熱エネルギー変換体をそれぞれ駆動することを特徴とする請求項１１から１４のいずれか１項に記載のインクジェット記録装置の予備吐出制御方法。
【請求項１６】  前記予備吐出制御工程は、１つのパルス状部分に対して前記熱エネルギー変換体から発生される熱エネルギーが、前記記録制御工程と等しくなるような駆動信号を発生することを特徴とする請求項１５に記載のインクジェット記録装置の予備吐出制御方法。
【請求項１７】  前記予備吐出制御工程は、前記ノズルから予め定めた数のインク滴が吐出されたときに前記予備吐出動作を行わせるタイミング制御工程を含むことを特徴とする請求項１１から１６のいずれか１項に記載のインクジェット記録装置の予備吐出制御方法。
【請求項１８】  前記予備吐出制御工程は、予め定めた枚数の記録媒体への記録を行ったときに前記予備吐出動作を行わせるタイミング制御工程を含むことを特徴とする請求項１１から１６のいずれか１項に記載のインクジェット記録装置の予備吐出制御方法。
【請求項１９】  前記予め定めた枚数は１枚であることを特徴とする請求項１８に記載のインクジェット記録装置の予備吐出制御方法。
【手続補正２】
【補正対象書類名】明細書
【補正対象項目名】００１９
【補正方法】変更
【補正の内容】
【００１９】
【課題を解決するための手段】
上記目的を達成するために本発明のインクジェット記録装置は、熱エネルギーを利用してノズルからインクを吐出する記録ヘッドを有するインクジェット記録装置であって、
前記複数のノズル内にそれぞれ設けられており、通電されたときに前記熱エネルギーを発生する熱エネルギー変換体と、
記録データに応じて前記熱エネルギー変換体を予め定めた電圧で駆動して記録動作を行わせる記録制御手段と、
予め定めたタイミングで、前記熱エネルギー変換体を前記予め定めた電圧よりも高い電圧で駆動して予備吐出動作を行わせる予備吐出制御手段とを備え、
前記予備吐出制御手段が同時に駆動する前記熱エネルギー変換体の数は、前記記録制御手段が同時に駆動する前記熱エネルギー変換体の数よりも少なくされたものである。
【手続補正３】
【補正対象書類名】明細書
【補正対象項目名】００２０
【補正方法】変更
【補正の内容】
【００２０】
また、上記目的を達成する本発明のインクジェット記録装置の予備吐出制御方法は、通電されたときに前記熱エネルギーを発生する熱エネルギー変換体がノズル内に設けられており、複数の前記ノズルそれぞれからインクを吐出する記録ヘッドを有するインクジェット記録装置の予備吐出制御方法であって、
記録データに応じて前記熱エネルギー変換体を予め定めた電圧で駆動して記録動作を行わせる記録制御工程と、
予め定めたタイミングで、前記熱エネルギー変換体を前記予め定めた電圧よりも高い電圧で駆動して予備吐出動作を行わせる予備吐出制御工程とを備え、
前記予備吐出制御工程において同時に駆動する前記熱エネルギー変換体の数が、前記記録制御工程において同時に駆動する前記熱エネルギー変換体の数よりも少なくされたものである。